(57)【要約】【課題】操作対象となる画像形成装置を使用者に認識させ易くする画像形成装置および画像形成システムを提供する。【解決手段】ネットワーク１０にＮＩＣ１７Ａを介して複写機３Ａを接続する。ＮＩＣ１７Ａは、ネットワーク１０を伝わる信号のうち複写機３Ａ宛ての信号を選択して受信する。ＮＩＣ１７Ａに複写機３Ａ宛ての信号が入力されると、ＣＰＵ１３Ａが音声出力部１８Ａに音声を出力させる。音声出力部１８Ａから出力される音声は、複写機３Ａが操作対象になった旨を示す音声である。さらに、音声出力部１８Ａから複写機３Ａの使用状態を示す音声を出力するようにしても良い。【選択図】図１
2006082360.tif 000002
【特許請求の範囲】
【請求項１】
ネットワークに接続されるインタフェース部と、
前記インタフェース部を介して入力される信号に基づいて画像形成処理を実行する画像形成部と、
前記ネットワークに接続されるホスト装置から送信された自分宛ての信号が前記インタフェース部に入力されたときに、信号を受信した旨を前記ホスト装置の使用者に報知する報知手段と、
を備えたことを特徴とする画像形成装置。
【請求項２】
前記報知手段は、上方向に光を照射する照射部を含むことを特徴とする請求項１に記載の画像形成装置。
【請求項３】
前記照射部は、本画像形成装置の使用状態に関する情報を含む光を上方向に照射することを特徴とする請求項２に記載の画像形成装置。
【請求項４】
前記報知手段は、自分宛ての信号を受信した旨を音声を介して報知する音声出力部を含むことを特徴とする請求項１〜３のいずれか１項に記載の画像形成装置。
【請求項５】
前記音声出力部は、本画像形成装置の使用状態に関する情報を音声を介して報知することを特徴とする請求項４に記載の画像形成装置。
【請求項６】
請求項１〜５のいずれか１項に記載の画像形成装置を複数備えた画像形成システムであって、
前記複数の画像形成装置と複数のホスト装置とがネットワークを介して接続されることを特徴とする画像形成システム。
【請求項７】
各画像形成装置が、各ホスト装置と報知方法とを対応づけて記録した記録部を有しており、
前記報知手段は、前記記録部の記録内容に基づいて、送信元のホスト装置毎に固有の方法で、信号を受信した旨を報知することを特徴とする請求項６に記載の画像形成システム。
【発明の詳細な説明】
【技術分野】
【０００１】
この発明は、ネットワークに接続するためのインタフェース部を有する画像形成装置、およびこの画像形成装置が複数接続されたネットワークを含む画像形成システムに関する。
【背景技術】
【０００２】
ローカルエリアネットワーク（ＬＡＮ）に画像形成装置を接続すると、ＬＡＮ上のすべてのパソコンで１台の画像形成装置を共有することができる。このため、近年ではネットワーク接続に対応した画像形成装置が増加しており、ＬＡＮにおいて有効に利用されている。
【０００３】
ところが、ＬＡＮの規模が大きくなると、同じＬＡＮに複数の画像形成装置が接続されるケースが増加し、操作対象の画像形成装置を特定するのが困難になることがあった。
【０００４】
そこで、従来技術の中には、ネットワークに接続された複数の画像形成装置の情報をディスプレイに一覧表示する印刷指示装置や（例えば、特許文献１参照。）、ネットワークに接続された装置の物理的位置情報を文章で表示する情報入出力装置がある（例えば、特許文献２参照。）。
【特許文献１】特開平８−２８６８５４号公報
【特許文献２】特開平１０−１７７５３３号公報
【発明の開示】
【発明が解決しようとする課題】
【０００５】
しかしながら、特許文献１に記載の印刷指示装置では、ディスプレイに一覧表示された画像形成装置がネットワークに接続されたどの画像形成装置に対応しているのかが不明になることがある。特に、同じ機種の画像形成装置を複数ネットワークに接続している場合にはディスプレイの表示内容のみでは対応する画像形成装置を特定することが困難になることが多い。また、上述の特許文献２に記載の情報入出力装置では、文章で表わされた装置の物理的位置情報から一義的に装置の配置位置を特定できないことがあった。
【０００６】
この発明の目的は、操作対象となる画像形成装置を使用者に認識させ易くする画像形成装置および画像形成システムを提供することである。
【課題を解決するための手段】
【０００７】
（１）本発明に係る画像形成装置は、
ネットワークに接続されるインタフェース部と、
前記インタフェース部を介して入力される信号に基づいて画像形成処理を実行する画像形成部と、
前記ネットワークに接続されるホスト装置から送信された自分宛ての信号が前記インタフェース部に入力されたときに、信号を受信した旨を前記ホスト装置の使用者に報知する報知手段と、
を備えたことを特徴とする。
【０００８】
本発明に係る画像形成装置は、インタフェース部、画像形成部、および報知手段を備えている。画像形成装置はインタフェース部を介してネットワークに接続される。画像形成装置のインタフェース部は固有のアドレスを有しており、ネットワーク上を伝わる信号の先頭に付加されているアドレスに基づいて、その信号が自分宛てであるか否かを判断する。信号が自分宛てである場合には報知手段が、自分宛ての信号を受け取り、自らがその信号に係る操作対象である旨を、信号の送信者に対して報知する。この結果、信号の送信者は、たとえ画像形成装置に対して遠隔操作をする場合であっても、報知手段による報知により、視覚または聴覚を通じて操作対象となった画像形成装置を把握する。
【０００９】
（２）（１）に記載の画像形成装置であって、
前記報知手段は、上方向に光を照射する照射部を含むことを特徴とする。
【００１０】
この構成においては、画像形成装置宛ての信号をインタフェース部が受信すると、照射部から上方に向けて光が照射される。上方に光を照射するのは、画像形成装置を遠隔操作する使用者に照射部が発する光を認識させ易くするためである。通常、画像形成装置の上方にはオフィスの天井があり、照射部から照射された光はオフィスの天井に映し出されて使用者に視認される。
【００１１】
（３）（２）に記載の画像形成装置であって、
前記照射部は、本画像形成装置の使用状態に関する情報を含む光を上方向に照射することを特徴とする。
【００１２】
この構成においては、照射部が、画像形成装置の動作状態や設定状態に関する情報を天井に映し出す。天井に映し出す光に情報を持たせる手法の例として、画像形成装置の使用状態に応じた色の光を映し出したり、画像形成装置の使用状態に応じた照射パターンで光を映し出したり、使用者に伝えるべき情報をそのまま映像にして天井に映し出すことが挙げられる。
【００１３】
（４）（１）〜（３）のいずれかに記載の画像形成装置であって、
前記報知手段は、自分宛ての信号を受信した旨を音声を介して報知する音声出力部を含むことを特徴とする。
【００１４】
この構成においては、画像形成装置に対して自分宛ての信号が入力されると、自らが操作対象である旨を音声報知部が音声表示する。
【００１５】
（５）（４）に記載の画像形成装置であって、
前記音声出力部は、本画像形成装置の使用状態に関する情報を音声を介して報知することを特徴とする。
【００１６】
この構成においては、画像形成装置の使用状態を音声出力部が音声によって使用者に報知する。
【００１７】
（６）（１）〜（５）のいずれかに記載の画像形成装置を複数備えた画像形成システムであって、
前記複数の画像形成装置と複数のホスト装置とがネットワークを介して接続されることを特徴とする。
【００１８】
本発明に係る画像形成システムは、自らが操作対象である旨を報知できる複数の画像形成装置がネットワークを介して複数のホスト装置に接続されている。
【００１９】
（７）（６）に記載の画像形成システムであって、
各画像形成装置が、各ホスト装置と報知方法とを対応づけて記録した記録部を有しており、
前記報知手段は、前記記録部の記録内容に基づいて、送信元のホスト装置毎に固有の方法で、信号を受信した旨を報知することを特徴とする。
【００２０】
この構成においては、画像形成装置は、信号の送信元のホスト装置に応じて、異なった方法で報知動作を行う。
【発明の効果】
【００２１】
（１）請求項１に記載の発明によれば、使用者が視覚または聴覚を通じて操作対象となった画像形成装置を容易に認識できる。
【００２２】
（２）請求項２に記載の発明によれば、画像形成装置を遠隔操作する使用者にも操作対象となった画像形成装置を認識させ易くなる。
【００２３】
（３）請求項３に記載の発明によれば、画像形成装置に備えつけの表示部を見ることなく、画像形成装置の使用状態を使用者に把握させることができる。
【００２４】
（４）請求項４に記載の発明によれば、視覚を通じて情報を得ることが困難な状態でも、画像形成装置からの報知を使用者が認識することができる。
【００２５】
（５）請求項５に記載の発明によれば、聴覚を通じて使用者が画像形成装置の使用状態を認識できる。
【００２６】
（６）請求項６に記載の発明によれば、ネットワークに接続されるホスト装置や画像形成装置の台数にかかわらず、操作対象となる画像形成装置を容易に特定することができる。
【００２７】
（７）請求項７に記載の発明によれば、同時に複数のホスト装置が信号を送信した場合にも、各ホスト装置の使用者が操作対象を特定し易くなる。
【発明を実施するための最良の形態】
【００２８】
以下、図を用いて本発明の画像形成装置および画像形成システムの実施形態を説明する。
【００２９】
図１に示すように、画像形成システム１は、ネットワーク１０と、このネットワーク１０に接続される複写機３Ａ，３Ｂ，３Ｃ、およびパソコン２Ａ，２Ｂ，２Ｃ，２Ｄを備える。本実施形態では、複写機３Ａ，３Ｂ，３Ｃによって本発明の画像形成装置が構成され、パソコン２Ａ，２Ｂ，２Ｃ，２Ｄによって本発明のホスト装置が構成される。ネットワーク１０は、ＣＳＭＡ／ＣＤ方式のバス型のネットワークが採用される。ただし、本発明のネットワークはこれに限定されるものではなく、他の通信方式を採用したネットワークや他のトポロジを採用したネットワークであっても良い。ネットワーク１０に接続されるすべての装置には、ネットワーク・インタフェース・カード（ＮＩＣ）が装着されており、各ＮＩＣには固有のＭＡＣアドレスが割り当てられる。
【００３０】
画像形成システム１の特徴は、パソコン２Ａ，２Ｂ，２Ｃ，２Ｄの各使用者が、複写機３Ａ，３Ｂ，３Ｃを選択的に使用して画像形成処理をする際に、複写機３Ａ，３Ｂ，３Ｃのいずれが操作対象になっているのかを使用者に容易に認識させることである。以下、この特徴を詳細に説明する。
【００３１】
図２を用いて、複写機３Ａの概略構成を説明する。複写機３Ａは、画像処理部１１Ａ、ＲＯＭ１２Ａ、記録部１４Ａ、画像読取部１５Ａ、画像形成部１６Ａ、ＮＩＣ１７Ａ、音声出力部１８Ａ、操作パネル１９Ａ、給紙部２０Ａ、およびＣＰＵ１３Ａを備える。ＲＯＭ１２Ａは、複写機３Ａの動作に必要なプログラムを格納する。記録部１４Ａは、必要なデータを記録するための不揮発性のメモリである。記録部１４Ａには、ネットワーク１０に接続されたパソコン２Ａ，２Ｂ，２Ｃ，２ＤのＭＡＣアドレスと各パソコンにおける印刷設定内容とが対応づけて記録される。ここで、印刷設定内容の代表例は、各パソコン２Ａ，２Ｂ，２Ｃ，２Ｄにおける「通常使用する複写機」の選択内容である。また、記録部１４には、パソコン２Ａ，２Ｂ，２Ｃ，２Ｄの各ＭＡＣアドレスとファンファーレの種類とが対応づけて記録される。
【００３２】
画像読取部１５Ａは、原稿の画像情報を読み取り画像データとしての電気信号に変換する。画像処理部１１Ａは、画像読取部１５から供給される画像データに対して所定手順の画像処理を実行する。画像形成部１６Ａは、入力される画像データに基づいて画像形成処理を行う。画像形成部１６Ａに入力される画像データは、画像処理部１１Ａから供給される画像データ、またはＮＩＣ１７Ａを介してパソコン２Ａ，２Ｂ，２Ｃ，２Ｄから供給される画像データに大別される。給紙部２０Ａは、画像形成部１６Ａに対して用紙を供給する。操作パネル１９Ａは、使用者からのキー操作を受け付ける操作部と、複写機３Ａの動作状態や設定内容を表示する表示部を含んでいる。
【００３３】
ＮＩＣ１７Ａは、ネットワーク１０に接続されるインタフェース部として機能する。本実施形態では、ＮＩＣ１７Ａとして１０ＢＡＳＥ−Ｔ仕様のＬＡＮカードが採用されるが、ＮＩＣ１７Ａの構成はこれに限定されるものではない。画像形成システム１において、各パソコン２Ａ，２Ｂ，２Ｃ，２Ｄからネットワーク１０上に送信された信号は、ネットワーク１０上のすべてのＮＩＣに伝わる。ＮＩＣ１７Ａは、信号の先頭に付加されている宛先ＭＡＣアドレスを読み、入力された信号が自分宛ての信号であるか否かをチェックする。自分宛てである場合には、以下の信号を受信して信号に係るコマンドに対応した動作を行う。もし、信号の宛先が自分宛てでない場合には、後の信号を受信しない。
【００３４】
ネットワーク１０上を伝わる信号は、図３に示すフレームの形を呈している。図３に示すように、各フレームは、プリアンブル２１Ａ、宛先ＭＡＣアドレス２１Ｂ、送信元ＭＡＣアドレス２１Ｃ、タイプ２１Ｄ、データ２１Ｅ、およびＣＲＣ２０Ｆを有する。プリアンブル２１Ａは、受信同期用のデータである。宛先ＭＡＣアドレス２１Ｂは、信号が送信されるべき相手方の装置を特定する情報である。送信元ＭＡＣアドレス２１Ｃは、信号を送信した装置を特定するための情報である。タイプ２１Ｄは、プロトコルのタイプを示す。データ２１Ｅは、相手方に供給すべきコンテンツである。データ２１Ｅの代表例は、画像形成処理すべき画像データである。ＣＲＣ２０Ｆは、通信エラーチェック用のデータである。
【００３５】
再び、図２に戻ると、音声出力部１８Ａは、ＣＰＵ１３Ａからの信号に基づいて音声を出力する。音声出力部１８Ａの出力レベルは調整自在になっている。本実施形態では、音声出力部１８Ａから所定のファンファーレが出力される。ただし、音声出力部１８Ａから出力されるものはファンファーレに限定されることはなく、ブザー音、メロディ、音声アナウンスをファンファーレに代えて出力しても良い。
【００３６】
ここでは、ＣＰＵ１３Ａは、ＮＩＣ１７Ａに複写機３Ａ宛ての信号が入力されたことを検出すると、音声出力部１８Ａにファンファーレを出力させる。音声出力部１８Ａの音声出力処理は、記録部１４Ａの記録内容に基づき実行される。例えば、音声出力部１８Ａは、記録部１４の記録内容に基づき信号の送信元ＭＡＣアドレス毎に異なったファンファーレを出力する。
【００３７】
複写機３Ａにおいて、複写機３Ａを「通常使用する複写機」として設定しているパソコン２Ａ，２Ｂ，２Ｃ，２Ｄからの信号について、音声出力部１８Ａが音声を出力しないように設定することもできる。このようにすれば、音声出力部１８Ａが音声を出力する機会を減らし、音声によって周囲が迷惑することを防止できる。ここで、「通常使用する複写機」であるか否かを判断基準にしたのは、「通常使用する複写機」であれば使用者は音声に頼らなくても操作対象となる複写機を特定することができるからである。また、パソコン２Ａ，２Ｂ，２Ｃ，２Ｄ側で使用する複写機の設定を変更したときのみ、変更後の複写機が自らが操作対象になった旨の音声表示をするようにしても良い。
【００３８】
なお、複写機３Ａの場合では、音声出力部１８Ａによって音声報知部が構成され、ＣＰＵ１３Ａおよび音声出力部１８Ａによって本発明の報知手段が構成される。
【００３９】
次に、図４を用いて複写機３Ｂを説明する。複写機３Ｂの基本構成は、複写機３Ａと同一である。ただし、複写機３Ｂでは、複写機３Ａにおける音声出力部１８Ａに代えて、外部表示部１８Ｂが設けられている。外部表示部１８Ｂは、操作パネル１９とは別に設けられた大型の液晶スクリーンである。複写機３ＢのＣＰＵ１３Ｂは、ＮＩＣ１７Ｂに複写機３Ｂ宛ての信号が入力されたときに、信号を受信し自らが操作対象である旨の表示を外部表示部１８Ｂにさせる。複写機３Ｂでは、ＣＰＵ１３Ｂおよび外部表示部１８Ｂにより本発明の報知手段が構成される。
【００４０】
続いて、図５を用いて、複写機３Ｃの概略構成を説明する。複写機３Ｃの基本構成は、複写機３Ａと同一である。ただし、複写機３Ｃでは、複写機３Ａにおける音声出力部１８Ａに代えて、映写部１８Ｃが設けられている。複写機３ＣのＣＰＵ１３Ｃは、ＮＩＣ１７Ｃに複写機３Ｃ宛ての信号が入力されたときに、映写部１８Ｃから光を上方に向けて照射させる。映写部１８Ｃが上方に向けて照射した光は天井に映し出され、その光を見た使用者はその光を照射している複写機が操作対象となっている旨を認識する。複写機３Ｃでは、映写部１８Ｃにより本発明の照射部が構成され、ＣＰＵ１３Ｃおよび映写部１８Ｃにより本発明の報知手段が構成される。
【００４１】
映写部１８Ｃが映し出す内容は、自らが操作対象である旨を示す光に限定されない。例えば、複写機３Ｃの動作状態を示す情報を含む光を天井に投影すれば、複写機３Ｃから離れた位置にいる使用者が複写機３Ｃの状態を認識することが可能になる。
【００４２】
図６は、映写部１８Ｃが天井に映し出す投影内容のバリエーションを示している。投影内容２２Ａは、自らがネットワーク１０における「プリンタ１」であり、かつ、操作の対象になっていることを表示している。この投影内容２２Ａは、パソコン２Ａ，２Ｂ，２Ｃ，２Ｄ側で、ネットワーク１０における「プリンタ１」と複写機３Ｃとの対応関係を把握できない場合に、使用者に「プリンタ１」に該当する複写機を認識させることができるという点で有効である。投影内容２２Ｂは、複写機３Ｃが使用中である旨を表示している。この投影内容２２Ｂは、複写機３Ｃから離れた位置にいる使用者が、聴覚を介して複写機３Ｃの動作音を認識できない場合に効果がある。複写機３Ｃが使用中であることを使用者に知らせておけば、その使用者は複写機３Ｃを避けて他の複写機３Ａまたは１Ｂを使用するというオプションを得ることができ、待ち時間を減らすことが可能になる。投影内容２２Ｃは、複写機３Ｃの画像形成部１６に供給されるべき給紙部２０Ｃの用紙がなくなったことを示している。この投影内容２２Ｃは、用紙切れを容易に周知させることができる点で有効である。投影内容２２Ｄは、トナー切れが生じたことを示している。この投影内容２２Ｄは、トナー切れを容易に周知させることができる点で有効である。投影内容２２Ｅは、画像形成部１６Ｃによる画像形成処理が終了したことを示している。この投影内容２２Ｅは、複写機３Ｃから出力された印刷物を回収に行くタイミングを使用者が把握できる点で有効である。
【００４３】
図７は、複写機３ＣにおけるＣＰＵ１３Ｃの動作手順を示すフローチャートである。ここでは、複写機３Ｃを例に挙げて説明するが、複写機３Ａおよび３Ｂにおいても同様の動作手順が採用可能である。
【００４４】
ＣＰＵ１３Ｃは、通信要求がされるまで待機する（Ｓ１）。具体的には、ＣＰＵ１３Ｃｈ、ＮＩＣ１７Ｃに固有の宛先ＭＡＣアドレスが付された信号がＮＩＣ１７Ｃを介して入力されるまで待機する。
【００４５】
Ｓ１の待機ステップにおいて、通信要求がされると、入力された信号のヘッダ情報を取得する（Ｓ２）。続いて、ＣＰＵ１３Ｃは、Ｓ２のステップで取得した送信元ＭＡＣアドレスに対応した態様で映写部１８Ｃに光を照射させる（Ｓ３）。Ｓ３のステップは、複写機３Ｃに対して遠隔操作する使用者に対し、複写機３Ｃが選択対象になった旨を報知するための処理である。
【００４６】
続いて、ＣＰＵ１３Ｃは、印刷要求が有るか否かを判断する（Ｓ４）。Ｓ４の判断ステップにおいて、印刷要求がされていない場合には、そのまま処理を終了し、新たな通信要求がされるまで待機する。これに対し、Ｓ４の判断ステップにて印刷要求がされた場合には、複写機３Ｃが印刷可能な状態か否かを判断する（Ｓ５）。
【００４７】
Ｓ５の判断ステップでは、給紙部２０Ｃにおける用紙有無、現像装置におけるトナーの有無、用紙ジャム等のトラブルの有無を判断する。このＳ５の判断ステップにて、用紙切れ、トナー切れ、用紙ジャム発生等のトラブルが生じている場合には、その旨を示すエラーメッセージを作成する（Ｓ９）。続いて、ＣＰＵ１３Ｃは、映写部を制御し、作成したエラーメッセージに基づく映像を天井に投影させる（Ｓ１０）。同時に、ＣＰＵ１３Ｃは、Ｓ９のステップで作成したエラーメッセージをＳ２のステップで取得した送信元ＭＡＣアドレスに対して出力する（Ｓ１１）。
【００４８】
Ｓ５の判断ステップで、複写機３Ｃが印刷可能な状態であれば、ＣＰＵ１３Ｃは、画像形成部１６Ｃに印刷を実行させ、映写部１８Ｃに「印刷中」を示す映像を天井に投影させる。続いて、ＣＰＵ１３Ｃは、画像形成部１６Ｃによる印刷処理が終了するまで待機し（Ｓ７）、印刷処理が終了したら映写部１８Ｃに印刷完了を示す映像を天井に投影させ、処理を終了する。
【００４９】
図８は、パソコン２Ａ，２Ｂ，２Ｃ，２Ｄにおける処理手順を示すフローチャートである。ここでは、パソコン２Ａを代表例として説明するが、パソコン２Ｂ，２Ｃ，２Ｄにも同様の処理は適用できる。
【００５０】
まず、パソコン２Ａにて印刷要求を行う場合には、ヘッダ作成処理がされる。パソコン２Ａ側のＣＰＵはヘッダの作成が完了するまで待機する（Ｓ１２）。Ｓ１２にて、使用者が複写機の選択を行わない場合、通常使用するように設定されている複写機のＭＡＣアドレスがヘッダに書き込まれる。一方、使用者が複写機の選択をする場合には、選択された複写機のＭＡＣアドレスがヘッダに書き込まれる。
【００５１】
ヘッダの作成が完了すると、パソコン２ＡのＣＰＵは、ネットワーク１０上に印刷要求が出力する（Ｓ１３）。続いて、パソコン２Ａは、選択した複写機が印刷可能な状態であるか否かを判断する（Ｓ１４）。
【００５２】
Ｓ１４のステップにおいて、選択した複写機が印刷可能な状態であれば、パソコン２Ａは印刷処理が完了するまで待機し（Ｓ１５）、印刷処理が完了した後に処理を終了する。一方、Ｓ１４のステップにおいて、選択した複写機が印刷可能な状態でない場合には、複写機側から出力されるメッセージを取得し（Ｓ１６）、取得したメッセージを表示する（Ｓ１７）。
【００５３】
続いて、パソコン２ＡのＣＰＵは、自動切換設定がオンされているか否かを判断し（Ｓ１８）、自動切換設定がオンされている場合には、ネットワーク１０上における印刷可能な他の複写機を自動的に選択する（Ｓ１９）。このとき、パソコン２Ａは選択した他の複写機のＭＡＣアドレスが送信先としてヘッダに書き込まれるようにヘッダを再度作成する（Ａ１２）。Ｓ１８のステップにおいて、自動切換設定がオフである場合には、選択した複写機が印刷可能な状態になるまで待機する（Ｓ１４）。
【００５４】
パソコン２Ａ，２Ｂ，２Ｃ，２Ｄでは、それぞれ複写機３Ａ，３Ｂ，または３Ｃのいずれかを通常使用する複写機として登録しているが、複写機３Ａ，３Ｂ，または３Ｃにおいて、自らを通常使用する複写機として設定している複写機に対しては、報知処理の頻度を下げるようにしても良い。また、報知処理は、予め設定された期間が経過すると自動的に終了するようにしておけば、表示を消し忘れることがない。なお、通常、複写機３Ｃは、画像形成完了を示す信号をパソコン２Ａ，２Ｂ，２Ｃ，２Ｄに送信すると同時に映写部１８Ｃによる投影を終了するが、投影を終了すべき旨の使用者からの操作がされるまで投影を継続させておいても良い。この場合、離れた位置にいる使用者が複写機３Ｃに到達するまで投影動作が継続されるため、この使用者が複写機３Ｃに簡単にたどり着けるといったメリットがある。
【００５５】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５６】
【図１】本発明の画像形成システムの構成を示す図である。
【図２】画像形成システムにおける複写機の構成例を示す図である。
【図３】ネットワーク上を伝わる信号の構成を示す図である。
【図４】画像形成システムにおける複写機の構成例を示す図である。
【図５】画像形成システムにおける複写機の構成例を示す図である。
【図６】映写部の投影内容のバリエーションを示す図である。
【図７】複写機のＣＰＵの動作手順を示すフローチャートである。
【図８】パソコンのＣＰＵの動作手順を示すフローチャートである。
【符号の説明】
【００５７】
１−画像形成システム
２Ａ，２Ｂ，２Ｃ，２Ｄ−複写機
３Ａ，３Ｂ，３Ｃ−複写機
１０−ネットワーク
１７Ａ，１７Ｂ，１７Ｃ−ネットワークインタフェースカード（ＮＩＣ）
１８Ａ−音声出力部
１８Ｂ−外部表示部
１８Ｃ−映写部
【図１】
2006082360.tif 000003
【図２】
2006082360.tif 000004
【図３】
2006082360.tif 000005
【図４】
2006082360.tif 000006
【図５】
2006082360.tif 000007
【図６】
2006082360.tif 000008
【図７】
2006082360.tif 000009
【図８】
2006082360.tif 000010